(57)【要約】【課題】消費電力を低減させるためにＬＥＤを使用しても薄厚化には限度がある。【解決手段】フレーム１における各開口部２、2a…に複数枚の表示パネル３、3a…を取り外し可能に嵌め込み、該表示パネル３、3a…は、矩形枠８に組み込まれたエッジライト式両面発光バックライト９と、該エッジライト式両面発光バックライト９の表裏両面に配した、表面に表示部11、11a を剥離可能に貼着した透光板10、10a とを有し、上記エッジライト式両面発光バックライト９の発光部14の制御回路15の両端部にプラグ16、16a を設けて、複数枚の表示パネル３、3a…を接続可能にし、上記開口部２、2a…における一方の縦フレーム４、4aの内面に、上記表示パネル３、3a…の他方のプラグ16a と同じプラグ17、17a …を設ける。上記表示パネルを極めて薄い構造にすることが出来るため、全体としての薄厚化及び軽量化、並びに発光部14のＬＥＤ13、13a …の数を減らしても十分に表示可能になる。【選択図】図９
2011095606.tif 000002
【特許請求の範囲】
【請求項１】
工場側に設置されるフレームと、該フレームの上下方向に並列形成された横長矩形状の開口部の夫々に取り外し可能に嵌め込まれた複数枚の表示パネルとを有し、該表示パネルは、矩形枠と、該矩形枠に組み込まれたエッジライト式両面発光バックライトと、該エッジライト式両面発光バックライトの表裏両面に配した透光板と、該透光板の表面に剥離可能に貼着した表示部とを有し、上記エッジライト式両面発光バックライトは、表裏両面発光可能な導光板と、該導光板の下方に配設した、複数個のＬＥＤを有した発光部と、上記導光板の上方に配設した、発光部の制御回路とを有し、該制御回路の両端部にプラグを設け、一方のプラグを他方のプラグに対し挿脱可能にして、複数枚の表示パネルを接続可能にし、上記開口部における一方の縦フレームの内面に、上記表示パネルの他方のプラグと同じプラグを設け、該プラグを制御部に接続し、該制御部は、全ての表示パネルを表示制御し、且つライン側から表示制御指令信号を取り込み、表示パネルに供給するための信号に変換する機能を有し、各表示パネルにおける制御回路には、制御部からの入力信号に含まれている識別番号データと、設定された識別番号データとが一致するか否かを判断し、一致している場合にのみ、入力信号に含まれている表示制御指令データに基きＯＮ／ＯＦＦ制御しＬＥＤを点灯／消灯させる機能を有することを特徴とするアンドン情報表示装置。
【発明の詳細な説明】
【技術分野】
【０００１】
本発明は、工場の生産ラインに設置され、少なくとも各生産ライン又は各生産ラインにおける各工程での異常の有無に関する情報（いわゆる「アンドン」情報）を表示するアンドン情報表示装置に関する。
【背景技術】
【０００２】
自動車や機械の製造等を行う工場の生産現場では、複数の生産ラインがあり、各生産ラインにも複数の工程があることから、各工程の稼働状況を容易に把握し、生産ラインの各工程での異常発生等を知らせるためのアンドン情報表示装置が設置され、このアンドン情報表示装置は、各生産ラインや各生産ラインにおける各工程での異常発生等の情報を表示する様になっている。
【０００３】
従来、このアンドン情報表示装置にあっては、寿命の長いＬＥＤをマトリックス状に配置すると共に、そのマトリックス状に配置したＬＥＤの光軸を透過フィルタに対峙させる構造のものが提案されているが、この構造では、均一に且つ明るく点灯させるためには多くのＬＥＤを配置する必要があるため、消費電力の増加、装置の大型化、装置コストの高騰化等の問題点があることから、直線状に配置された複数のＬＥＤと、ＬＥＤの有効視野角内に設置され、ＬＥＤからの光を長楕円状に拡散反射するための拡散反射部材と、投光方向に配置され、拡散反射部材によって拡散反射された光を投光方向に拡散させるための拡散フィルタとを備え、ＬＥＤからの光が拡散反射部材により拡散反射された後、更に拡散フィルタにより拡散させることで、容易に少ないＬＥＤで投光面を均一に点灯させて、消費電力を低減することが出来ると共に、薄型化（小型化）及び装置コストの低減を図ることが出来、又拡散フィルタの外面に異常のある機械を特定する可能な文字などを記載することにより、異常のある機械を容易に特定して表示することが出来る様にしたものが開発された（例えば、特許文献１参照）。
【先行技術文献】
【特許文献】
【０００４】
【特許文献１】特開２００４−１０１７７８号公報（請求項１、３、段落番号［０００８］、［００１２］、［００１４］）
【発明の概要】
【発明が解決しようとする課題】
【０００５】
しかし、上記従来技術にあっては、反射部材が内蔵されており、而も両面発光させるためには、２組の反射部材及びＬＥＤ群が必要になって薄厚化には限度があるなど、解決せねばならない課題があった。
【課題を解決するための手段】
【０００６】
本発明は、上記従来技術に基づく、消費電力を低減させるためにＬＥＤを使用しても、構造上薄厚化には限度がある課題に鑑み、工場側に設置されるフレームと、該フレームの上下方向に並列形成された横長矩形状の開口部の夫々に取り外し可能に嵌め込まれた複数枚の表示パネルとを有し、該表示パネルは、矩形枠と、該矩形枠に組み込まれたエッジライト式両面発光バックライトと、該エッジライト式両面発光バックライトの表裏両面に配した透光板と、該透光板の表面に剥離可能に貼着した表示部とを有し、上記エッジライト式両面発光バックライトは、表裏両面発光可能な導光板と、該導光板の下方に配設した、複数個のＬＥＤを有した発光部と、上記導光板の上方に配設した、発光部の制御回路とを有し、該制御回路の両端部にプラグを設け、一方のプラグを他方のプラグに対し挿脱可能にして、複数枚の表示パネルを接続可能にし、上記開口部における一方の縦フレームの内面に、上記表示パネルの他方のプラグと同じプラグを設け、該プラグを制御部に接続し、該制御部は、全ての表示パネルを表示制御し、且つライン側から表示制御指令信号を取り込み、表示パネルに供給するための信号に変換する機能を有し、各表示パネルにおける制御回路には、制御部からの入力信号に含まれている識別番号データと、設定された識別番号データとが一致するか否かを判断し、一致している場合にのみ、入力信号に含まれている表示制御指令データに基きＯＮ／ＯＦＦ制御しＬＥＤを点灯／消灯させる機能を有するアンドン情報表示装置によれば、表示パネルを両面発光表示させても極めて薄い構造にすることが可能になることに伴い、フレームも薄厚化することを可能にして、全体としての薄厚化及び軽量化、並びにＬＥＤの数を減らしても十分に表示可能にして、上記課題を解決する。
【発明の効果】
【０００７】
要するに本発明は、工場側に設置されるフレームと、該フレームの上下方向に並列形成された横長矩形状の開口部の夫々に取り外し可能に嵌め込まれた複数枚の表示パネルとを有しているので、開口部が複数形成されているため、設置対象となる開口部に毎に異なる表示パネルを準備しておけば、複数種類の情報を表示することが出来る。
又、上記表示パネルは、矩形枠と、該矩形枠に組み込まれたエッジライト式両面発光バックライトと、該エッジライト式両面発光バックライトの表裏両面に配した透光板と、該透光板の表面に剥離可能に貼着した表示部とを有し、上記エッジライト式両面発光バックライトは、表裏両面発光可能な導光板と、該導光板の下方に配設した、複数個のＬＥＤを有した発光部と、上記導光板の上方に配設した、発光部の制御回路とを有しているので、表示パネルを極めて薄い構造にすることが出来ることから、フレームも薄厚化することが出来るため、全体としての薄厚化及び軽量化、並びにＬＥＤの数を減らしても十分な光量を確保することが出来、対象が変更された場合には、表示部だけを剥がして新たな表示部を貼着するだけで対処することが出来る。
又、上記制御回路の両端部にプラグを設け、一方のプラグを他方のプラグに対し挿脱可能にして、複数枚の表示パネルを接続可能にし、上記開口部における一方の縦フレームの内面に、上記表示パネルの他方のプラグと同じプラグを設け、このフレーム側のプラグを制御部に接続したので、複数枚の表示パネルをプラグで接続することで、全ての表示パネルに電力を供給可能にすると共に、各種信号を送信可能にすることが出来、連結状態の表示パネルをフレーム側のプラグに接続することで、制御部から出力される電力及び各種信号を全ての表示パネルに送ることが出来、而もラインの増設に伴い表示パネルを追加したり、ラインの休止に伴い該当する表示パネルを撤去するだけで対応出来るため、アンドン情報表示装置としての構成を容易に変更することが出来る。
又、上記制御部は、全ての表示パネルを表示制御し、且つライン側から表示制御指令信号を取り込み、表示パネルに供給するための信号に変換する機能を有し、各表示パネルにおける制御回路には、制御部からの入力信号に含まれている識別番号データと、設定された識別番号データとが一致するか否かを判断し、一致している場合にのみ、入力信号に含まれている表示制御指令データに基きＯＮ／ＯＦＦ制御しＬＥＤを点灯／消灯させる機能を有するので、制御部から送信された信号に従い、該当する表示パネルを確実にＯＮ／ＯＦＦさせることが出来る等その実用的効果甚だ大である。
【図面の簡単な説明】
【０００８】
【図１】本発明に係るアンドン情報表示装置の正面図である。
【図２】図１の背面図である。
【図３（ａ）】表示パネルの正面斜視図である。
【図３（ｂ）】表示パネルの背面斜視図である。
【図４】表示パネルの分解斜視図である。
【図５】表示パネルの中央縦断面図である。
【図６】フレームの正面図である。
【図７】図６のＡ−Ａ断面図である。
【図８（ａ）】嵌込み工程における表示パネルの上端を上方のスライド溝に差し込んだ状態を示す断面図である。
【図８（ｂ）】嵌込み工程における表示パネルの嵌込み完了状態を示す断面図である。
【図９】嵌め込まれた表示パネルが未接続状態であるアンドン情報表示装置の要部拡大斜視図である。
【発明を実施するための形態】
【０００９】
以下、本発明に係るアンドン情報表示装置の発明の形態を図面に基づき説明する。
本発明に係るアンドン情報表示装置にあっては、図１、２に示す様に、工場側に設置されるフレーム１と、該フレーム１の上下方向に並列形成された横長矩形状の開口部２、2a…の夫々に取り外し可能に嵌め込まれた複数枚の表示パネル３、3a…とを有している。
【００１０】
上記フレーム１にあっては、図６、７に示す様に、一対の縦フレーム４、4a間に複数本の横フレーム５、5a…を上方方向に並列状態で架設し、隣接する横フレーム５、5a…と縦フレーム４、4aで上記開口部２、2a…を形成している。
【００１１】
上記表示パネル３、3a…にあっては、嵌め込む開口部２、2a…で異なるが、基本構造は同一とし、具体的には、図３（ａ）〜図５に示す様に、一対の縦枠６、6a及び一対の横枠７、7aで構成された矩形枠８と、該矩形枠８に組み込まれたエッジライト式両面発光バックライト９と、該エッジライト式両面発光バックライト９の表裏両面に配した透光板10、10a と、該透光板10、10a の表面に剥離可能に貼着した同じ表示部11、11a とを有している。
【００１２】
上記エッジライト式両面発光バックライト９にあっては、図５に示す様に、表裏両面発光可能な導光板12と、該導光板12の下方に配設した、複数個のＬＥＤ13、13a …を有した発光部14と、上記導光板12の上方に配設した、発光部14の制御回路15とを有し、該制御回路15の両端部にプラグ16、16a を設け、一方のプラグ16を他方のプラグ16a に対し挿脱可能にし、且つ一方のプラグ16を矩形枠８における一方の縦枠６より突出させて、隣接する表示パネル３、3a…の一方のプラグ16を他方のプラグ16a に差し込んで両者を隙間なく接続可能にしている。
【００１３】
そして、設置対象となる開口部２、2a…による表示パネル３、3a…の相違点は、透光板10、10a の色であったり、横幅としている。
【００１４】
又、上記導光板12は、肉薄の板状体からなり、発光部14からの光をその一端部から内部へ導入し、導光板の表裏両面側へ導出させるものであって、例えばアクリル樹脂材の様な透明材料で形成され、上記一端部以外の側壁面には、この反射層は導光板を介して供給される光を表面側及び裏面側以外から漏れない様に設けられている。
具体的には、二枚の導光板を光反射板を挟んで積層した複合材としたり、透明基板材料中に光拡散材を均一に混入したり、透明基板の両面をサンドブラスト処理、またはエンボス加工等による型押し加工によって、均一に粗面化処理を施すことにより透明基板の両面に均一な光拡散層を設けるなど、要するに光をその一端部から内部へ導入し、導光板の表裏両面側へ導出可能であれば良い。
【００１５】
上記開口部２、2a…における一方の縦フレーム４、4aの内面に、上記表示パネル３、3a…の他方のプラグ16a と同じプラグ17、17a …を設け、隣接する表示パネル３、3a…の一方のプラグ16を差し込んで接続することで、全ての表示パネル３、3a…が、後述する制御部20に接続される。
【００１６】
上記制御部20にあっては、フレーム１側のプラグ17、17a …を接続して、全ての表示パネル３、3a…を表示制御し、且つ電源（図示せず）に接続して、全ての表示パネル３、3a…を点灯可能にし、更に有線又は無線でライン側から表示制御指令信号を取り込み、入力された表示制御指令信号を表示パネル３、3a…に供給するための信号に変換する機能を有している。
又、上記変換信号には、表示制御対象である表示パネル３、3a…を特定する識別番号データと、表示制御対象である表示パネル３、3a…の発光部14をＯＮ／ＯＦＦするための表示制御指令データとが含まれている。
【００１７】
各表示パネル３、3a…における制御回路15には、ライン側（制御部20）からの入力信号に含まれている識別番号データと、設定された識別番号データとが一致するか否かを判断し、一致している場合にのみ、入力信号に含まれている表示制御指令データに基きＯＮ／ＯＦＦ制御しＬＥＤを点灯（点滅）／消灯させる機能を有している。
【００１８】
又、各開口部２、2a…の上下部（下方の横フレーム５、5a…の上面と上方の横フレーム5a、5b…の下面）に表示パネル３、3a…の上下部をスライド可能に嵌め込むスライド溝18、18a …を形成し、上方のスライド溝18a を下方のスライド溝18より深くして、図８（ａ）、（ｂ）に示す様に，建具と同様に嵌込み・取外し可能にしている。
よって、複数枚の表示パネル３、3a…をフレーム１に対して容易に組み込める構成とすることにより、種々のレイアウトに対応したアンドン情報表示装置を容易に実現出来る。
【符号の説明】
【００１９】
１          フレーム
２、2a…    開口部
３、3a…    表示パネル
４、4a      縦フレーム
８          矩形枠
９          エッジライト式両面発光バックライト
10、10a     透光板
11、11a     表示部
12          導光板
13、13a …  ＬＥＤ
14          発光部
15          制御回路
16、16a     プラグ
17、17a …  プラグ
20          制御部
【図１】
2011095606.tif 000003
【図２】
2011095606.tif 000004
【図３（ａ）】
2011095606.tif 000005
【図３（ｂ）】
2011095606.tif 000006
【図４】
2011095606.tif 000007
【図５】
2011095606.tif 000008
【図６】
2011095606.tif 000009
【図７】
2011095606.tif 000010
【図８（ａ）】
2011095606.tif 000011
【図８（ｂ）】
2011095606.tif 000012
【図９】
2011095606.tif 000013